(57)【特許請求の範囲】
【請求項１】
少なくとも１つの第１の容器（１）と少なくとも１つの第２の容器（５）を有し、該第１の容器（１）と該第２の容器（５）とが接続装置（７）を介して互いに媒体を移動するように接続可能であり、
コーディング装置が設けられており、該コーディング装置がそれぞれ対応づけ可能な容器（１、５）の間の媒体を移動する接続を可能にし、又は媒体の移動を阻止し、
前記コーディング装置は、容器（１、５）と前記接続装置（７）との間で動作すると共に、機械的なキーロックシステムに従って動作し、物理的なコードを有する少なくとも1つのキー要素が前記容器（５）に設けられ、前記接続装置（７）に配設されたロック部材（２５）が前記キーロックシステムのロックであり、
前記容器（５）のキャップ部分（１３）に設けられたキー要素のコードが、周面に設けられた切り欠き（２１）及び／又は突出部を有し、
前記ロック部材（２５）のコードが、該ロック部材（２５）の開口部（２９）の壁に突出部（３１）及び／又は切り欠きによって形成され、該突出部（３１）及び／又は該切り欠きは、前記キャップ部分（１３）の切り欠き（２１）及び／又は突出部のコードに対して相補的である、容器移動システムにおいて、
前記コードは少なくとも切り欠き及び／又は突出部をそれぞれ有する少なくとも２つのサブグループ（６１、６３）からなり、該少なくとも２つのサブグループ（６１、６３）は互いに空間的に離れており、かつ容器（１、５）の内容物質及び／又は体積及び／又は内容量の１つ又は複数の異なる特色を特徴づける、
ことを特徴とする容器移動システム。
【請求項２】
適切にコーディングされたロック部材（２５）が、前記接続装置（７）に設けられ、かつ前記キー要素によってアンロック可能であり、前記ロック部材はロックされた状態において前記接続装置の接続機能を阻止する、ことを特徴とする請求項１に記載の容器移動システム。
【請求項３】
ロック部材（２５）が、ロックされた状態において、前記容器（１、５）の間に媒体接続を提供する前記接続装置（７）の突き刺し突起（３７）による開放移動を阻止し、媒体接続を阻止する、ことを特徴とする請求項１又は２に記載の容器移動システム。
【請求項４】
容器（５）に属するキー要素が、前記容器（５）の穿孔可能な開放領域（４８）を包囲するキャップ部分（１３）に形成されており、該キャップ部分が外側に、コード（６１、６３）に対応する形状不規則性を有している、ことを特徴とする請求項１〜３の何れか一項に記載の容器移動システム。
【請求項５】
容器（５）に属するキー要素が、前記容器（５）の穿孔可能な開放領域（４８）を包囲するキャップ部分（１３）に形成されており、該キャップ部分が第２の容器（５）から離れる側を向く前側に、コードに対応する形状不規則性を有している、ことを特徴とする請求項１〜３の何れか一項に記載の容器移動システム。
【請求項６】
ロック部材（２５）が、キャップ部分（１３）のキー要素のためのロックとして、開口部（２９）を備えたボディを有しており、前記開口部が内側に次のように、すなわち前記キー要素のコードと一致した場合に前記キャップ部分（１３）が前記開口部（２９）内の機能位置へ導入可能であるように、コーディングされた形状不規則性を有している、ことを特徴とする請求項１〜５の何れか一項に記載の容器移動システム。
【請求項７】
前記接続装置（７）が、ロック部材のガイド通路（５５）内へ嵌入する少なくとも１つのラッチ部材（４３、５３）を有しており、該ラッチ部材（４３、５３）は、前記キャップ部分（１３）の機能位置が達成された場合に、ロック部材（２５）の開口部（２９）内へ導入されたキャップ部分（１３）によってアンロック可能であり、それによって突き刺し中空突起のロックされた状態が解除される、ことを特徴とする請求項３〜６の何れか一項に記載の容器移動システム。
【請求項８】
コードを形成する形状不規則性として、１つ又は複数の切り欠きと１つ又は複数の突出部とが設けられている、ことを特徴とする請求項４〜７の何れか一項に記載の容器移動システム。
【請求項９】
コードを形成する形状不規則性として、長手軸に沿って延びる１つ又は複数の切り欠きと、長手軸に沿って延びる１つ又は複数の突出部とが設けられている、ことを特徴とする請求項８に記載の容器移動システム。
【請求項１０】
キャップ部分（１３）と環状ボディの形態であるロック部材（２５）とがそれぞれ一体的に形成されている、ことを特徴とする請求項１〜９の何れか一項に記載の容器移動システム。
【請求項１１】
キャップ部分（１３）の外周の形状及びロック部材（２５）のボディの開口部（２９）が、規則的な多角形又はルーローの三角形に相当し、かつ
それぞれ少なくとも１つのコード（６１、６３）が各辺に設けられている、ことを特徴とする請求項１〜１０の何れか一項に記載の容器移動システム。
【請求項１２】
キャップ部分（１３）が取り外し可能なカバー（１５）を有している、ことを特徴とする請求項１〜１１の何れか一項に記載の容器移動システム。
【請求項１３】
キャップ部分（１３）が、箔の形状の取り外し可能なカバー（１５）を有しており、該カバーがエネルギの強い放射によって透射することができる、ことを特徴とする請求項１２に記載の容器移動システム。
【請求項１４】
キャップ部分（１３）のコードはキャップの形状によって提供される、ことを特徴とする請求項１〜１３の何れか一項に記載の容器移動システム。
【請求項１５】
キャップ部分（１３）の最大の外径が、前記容器（５）の最大の外径より小さいか、又はそれと等しい大きさである、ことを特徴とする請求項１〜１４の何れか一項に記載の容器移動システム。
【請求項１６】
キャップ部分（１３）が前記容器（５）上に取り付けられ、該容器（５）に対して前記キャップ（１３）の少なくとも部分的な回転が可能となる、ことを特徴とする請求項１〜１５の何れか一項に記載の容器移動システム。
【請求項１７】
キャップ部分（１３）が、いくつかの片からなる閉鎖システムの一部であって、該閉鎖システムが、特に凍結乾燥後に容器（５）を閉鎖するために用いられる、ことを特徴とする請求項１〜１６の何れか一項に記載の容器移動システム。
【請求項１８】
請求項１〜１７の何れか一項に記載の容器移動システム用のコーディング装置であって、
前記容器移動システムが、機械的なキーロックシステムを提供するために、容器（５）に機械的にコーディングされたキー要素を有し、前記接続装置（７）は、機能できない状態に前記接続装置（７）をロックする、機械的にコーディングされたロック部材（２５）を有し、該ロック部材は前記キー要素に対してコードが一致した場合に前記キー要素によってアンロック可能とされ、
前記容器（５）のキャップ部分（１３）に設けられたキー要素のコードが、周面に設けられた切り欠き（２１）及び／又は突出部を有し、
前記ロック部材（２５）のコードが、該ロック部材（２５）の開口部（２９）の壁に突出部（３１）及び／又は切り欠きによって形成され、該突出部（３１）及び／又は該切り欠きは、前記キャップ部分（１３）の切り欠き（２１）及び／又は突出部のコードに対して相補的である、コーディング装置において、
前記コードは少なくとも切り欠き及び／又は突出部をそれぞれ有する少なくとも２つのサブグループ（６１、６３）からなり、該少なくとも２つのサブグループ（６１、６３）は互いに空間的に離れており、かつ容器（１、５）の内容物質及び／又は体積及び／又は内容量の１つ又は複数の異なる特色を特徴づける、
容器移動システム用のコーディング装置。
【請求項１９】
請求項１８に記載の容器移動システム用のコーディング装置であって、
前記容器移動システムが機械的なキーロックシステムを提供するために、容器（５）に設けられた機械的にコーディングされたキー要素と、突き刺し中空突起（３７）のディスク形状の支持体（７３）に設けられた機械的なコード（８５）と、弾性変位するように支承されてロックする少なくとも１つのロック部材（８７）であって、前記キー要素に対して前記コード（８５）が一致した場合に、アンロック可能とするロック部材（８７）と、を備える容器移動システム用のコーディング装置。
【発明の詳細な説明】
【技術分野】
【０００１】
本発明は、少なくとも１つの第１の容器と少なくとも１つの第２の容器を有し、それらが接続装置を介して媒体を移動するように互いに接続可能である、容器移動システムに関する。
【背景技術】
【０００２】
この種のシステムは、接続装置を介して、固有の容器の内容物質である所望の媒体を互いに接触させ、又は混合することを可能にする。この種のプロセスは、使用前に互いに混合されなければならない少なくとも２つの別々の成分から調合を行うために、医療及び薬学の分野で広く実施される。特に普及している適用分野は、医療又は診断目的で非口経の適用のために調合を行うことに関する。たとえば注射ビン内で、注射のための調合を形成する場合に、注射ビン内にある、水、アイソトニックＮａＣｌ溶液、グルコース溶液、リンゲル−乳酸塩溶液などのような溶剤に何回も薬剤、たとえば抗生物質が液状又は粉末形状で供給されなければならず、その薬剤が溶剤と混合され、又はその中に溶解される。特に医療の分野では、その際に誤りが回避されなければならないことは、不可欠である。これがたとえば、非特許文献１に詳細に記述されており、したがってそれに属するのは：誤った医薬品、誤った服用量、溶剤の誤った体積、溶剤の誤った組成、誤った再構造プロセスなどである。同様に非特許文献２において、そして非特許文献３において、非経口投与における医療的安全性に関して存在する不足を指摘している。
【０００３】
さらに、特に補給の理由から、成分が冷蔵して保管されなければならない場合に、医薬品の種々の成分を互いに別々に保管できることが望ましく、それは、敏感な生物工学的な製品の場合に大体においてそうであって、それらの製品は、コールドチェーンを溶剤にまで広げなければならないことを回避するために、注射として非経口投与する前に溶解されなければならない。
【先行技術文献】
【非特許文献】
【０００４】
【非特許文献１】E.A.Flynn et al. in “Observational Study of Accuracy in compounding i.v. mixture at five hospitals (Am J Health-Syst Pharm Vol 54, Apr 15 1997, 904-912) 、P906
【非特許文献２】Ricard Bateman et al. “Errors associated with the preparation of aseptic products in UK hospital pharmacies … ”(Qual Saf health care 2010; 19: e 29)
【非特許文献３】D.H.Cousins et al. “Medication errors in intravenous drug preparation and administration …” (Qual Saf Health Care 2005; 14: 190-195)
【発明の概要】
【発明が解決しようとする課題】
【０００５】
この問題性に関して、本発明の課題は、誤った組み合わせの可能性を充分に排除する、容器移動システムを提供することである。
【課題を解決するための手段】
【０００６】
本発明によれば、この課題は、その全体において請求項１の特徴を有する容器移動システムによって解決される。
【０００７】
請求項１の特徴部分によれば、本発明の本質的な特殊性は、コーディング装置が設けられており、そのコーディング装置がそれぞれ対応づけられた容器の間を媒体が移動する接続を可能にし、又は媒体の移動を阻止することにある。コーディングに基づいて、媒体の誤った組み合わせは排除されている。
【０００８】
特に好ましくは、コーディング装置は容器と接続装置の間で有効になることができる。
【０００９】
簡単な構造における高い駆動安全性は、機械的なキーロック原理に従って作動する、コーディング装置によって達成することができる。
【００１０】
特に好ましくは、そのために容器に物理的なコードを有する少なくとも1つのキー要素を設けることができ、そのキー要素によって接続装置に設けられた、適合してコーディングされたロック部材がアンロック可能となり、そのロック部材はロックされた状態において接続装置の接続機能を阻止する。その場合にロック部材は、キーロックシステムのロックを形成する。
【００１１】
好ましくは、配置は、ロック部材がロックされた状態において、容器間の媒体接続を提供する、接続装置の突き刺し中空突起の開放移動とそれに伴って媒体接続の形成を阻止するように、行うことができる。
【００１２】
好ましくは、容器に付属するキー要素は、該当する容器の穿孔可能な開放領域を包囲するキャップ部分によって形成することができ、そのキャップ部分は外側にコードに相当する形状不規則性を有している。
【００１３】
特に好ましい実施例において、ロック部材はキャップ部分のキー要素のためのロックとして、開口部を備えたボディを有しており、その開口部の内側にコーディングされた形状不規則性が次のように、すなわちそのキー要素のコードが適合した場合にキャップ部分が開口部内の機能位置へ導入可能であるように、設けられており、その機能位置において容器の媒体接続が形成可能である。
【００１４】
その場合に重要なことは、適用をできるだけ直感的かつ簡単に構成し、かつ誤って傾くことを回避するために、キー要素とロック部材のコードの照会は、できるだけわずかな力と短い、まっすぐな距離のみで行うことができることである。さらに、キー要素とロック部材内のコードが冗長に、たとえば２から３倍、冗長に存在しており、それぞれの周面にわたって同様に分配されていると、効果的であって、それが誤って傾くことを阻止し、かつ導入の際の方向付けを容易にする。
【００１５】
そのためにロック部材をアンロックされた状態へ移行させるために、接続装置は、ロック部材の開口部内へ嵌入する少なくとも１つのロック部材を有しており、そのロック部材は、突き刺し中空突起のロックされた状態を無効にするために、機能位置に達した場合に、ロック部材の開口部内へ導入されたキャップ部分によってアンロック可能である。
【００１６】
特に好ましくは、コードを形成する形状不規則性として、切り欠きと突出部をたとえば次のように、すなわちキャップ部分におけるキー要素のコードが周面に設けられた切り欠き及び／又は突出部を有し、かつロック部材のコードがその開口部の壁に設けられた、コードが一致した場合にキャップ部分の切り欠き及び／又は突出部に対して相補的な、突出部及び／又は切り欠きによって形成されるように、設けることができる。
【００１７】
好ましくは、配置は、コードが、少なくともそれぞれ１つの切り欠き及び／又は突出部を備えた少なくとも２つのサブグループから形成されており、かつ、サブグループが互いに空間的に変位しており、かつ２つの容器の、上述したような（医薬品、用量、溶剤の体積、溶剤の組成など）１つ又は複数の異なる特質を特徴づけるように、行うことができる。
【００１８】
さらに配置は、好ましくは、キャップ部分の外周の形状およびロック部材のボディの開口部が、面取りされた角部を有するルーローの三角形（Reuleaux triangle）に相当し、その場合に３つの辺の各々にそれぞれコードが設けられているように、行うことができる。このような例は、特に操作のなじみやすさを特徴としている。というのは、導入プロセスのために容器と接続装置の唯一の一義的な導入位置が定められておらず、３つの導入位置が提供されるからである。
【００１９】
異なる幅の、直線的／長手軸に沿って延びる突出部の形状の環状ボディ（２５）のコード及び直線的／長手軸に沿ってのびる切り欠きの形状のキャップ（１３）のコードの形態が、特に効果的である。
【００２０】
これが、メインキーとサブキーを有する機械的な閉鎖設備の機能と同様の機能を、可能にする。本発明に係る場合において、これは、キャップ（１３）のコードが種々の環状ボディ（２５）の複数の異なるコードに適合できることを、意味している。
【００２１】
すなわち、たとえば粉末状の薬品Ｍ１は３つの異なる溶剤Ｌ１、Ｌ２、Ｌ３と組み合わせ可能とすることができ（１：３対応）、他の薬品Ｍ２は異なる溶剤Ｌ１、Ｌ２のみと（１：２対応）、そしてまた他の薬品Ｍ３は溶剤Ｌ１のみと（１：１）、組み合わせることが許される。
【００２２】
この例において、ロック部材（溶剤）とキー要素（薬品）のために、たとえば以下のことが可能である。
溶剤Ｌ１、突出部幅２ｍｍ。溶剤Ｌ２、突出部幅３ｍｍ。溶剤Ｌ３、突出部幅４ｍｍ。
薬品Ｍ１、切り欠き幅４ｍｍ。薬品Ｍ２、切り欠き幅３ｍｍ。薬品Ｍ３、切り欠き幅２ｍｍ。
【００２３】
Ｍ１の幅広の切り欠きは、Ｌ１、Ｌ２及びＬ３の突出部の導入を許し、Ｍ２についてはこれはＬ１とＬ２のみ成功し（幅広の突出部Ｌ３はブロックされる）、Ｍ３についてはＬ１のみが成功する（より幅広のＬ１とＬ２の突出部はブロックされる）。
同様に、様々な幾何学配置の突出部と切り欠きの形状の付加的なコードを有する上述した他の特色が、キャップ（１３）もしくは環状ボディ（２５）の他の位置に確実に対応づけられる（ｎ：ｐ対応づけ）。
【００２４】
また、本発明の対象は、請求項１〜２２の何れか一項に記載の容器移動システムのためのコーディング装置であって、その場合にそれぞれのコーディング装置は請求項２３又は２４の特徴を有している。
【００２５】
以下、図面を用いて本発明を詳細に説明する。
【図面の簡単な説明】
【００２６】
【図１】本発明に係る容器移動システムの実施例を示す斜視図である。
【図２】媒体成分を含むビンの形式の容器を図式的に簡単に示す縦断面図であって、その容器の中身が本発明に係る移動システムによって第２の容器内へ移送されることを示す図である。
【図３】図２のビンをキャップカバー部分を取り外して示す斜視図である。
【図４】実施例を示す部分分解斜視図であって、その場合に移動システムの接続装置内へ挿入する前の状態が示されている。
【図５】接続装置の構成要素を形成する媒体移動装置を示す斜視図である。
【図６】実施例の接続装置のロック部材を示す斜視図である。
【図７】移動可能なビンのキャップカバー部分を取り去ってキャップ部分を、露出した前側が見えるように示す斜視図である。
【図８】キーロック原理に従って作動するコーディングシステムを示す分解斜視図であって、キー要素を形成する図７のキャップ部分が、システムのロックとして用いられる、図６のロック部材内へ導入される前の状態を示す分解斜視図である。
【図９】移動装置を有する接続装置及び対応づけられた、移動可能なビンの開放領域を図式的に簡単に示す部分縦断面図であって、ビンのキャップ部分が、接続装置のロック部材内へ導入する前のセンタリング位置で示す部分縦断面図である。
【図１０】図９に相当する表示において移動プロセスの他の段階を示しており、ビンのキー要素とロックとして用いられるロック部材のコードが適合した場合に、ビンのキャップ部分が部分的にロック部材内へ導入され、かつその場合に図１０の図面で上の部分は、図９に対して９０°回動された切断平面を示している。
【図１１】図９及び１０と同様の部分縦断面図であって、移動プロセスの進行における位置を示す部分縦断面図である。
【図１２】図９及び１０と同様の部分縦断面図であって、移動プロセスの進行における次の位置を示す部分縦断面図である。
【図１３】図９及び１０と同様の部分縦断面図であって、移動プロセスの進行におけるさらに次の位置を示す部分縦断面図である。
【図１４】図９及び１０と同様の部分縦断面図であって、移動プロセスの進行におけるさらに次の位置を示す部分縦断面図である。
【図１５】図９及び１０と同様の部分縦断面図であって、移動プロセスの進行におけるさらに次の位置を示す部分縦断面図である。
【図１６】図１５に相当する斜視図である。
【図１７】コーディング原理を説明するために、キー要素を形成するビンのキャップ部分を示しており、ルーローの三角形の３辺の各々に、コードのそれぞれ２つのサブグループのための２つのコーディング領域を示す図である。
【図１８】ロック部材内へ挿入されたキャップ部分を示しており、そのロック部材が挿入を許すコードを有している図である。
【図１９】ロック部材内へ挿入されたキャップ部分を示しており、そのロック部材が挿入を許すコードを有している図である。
【図２０】２つの他のコーディング例を、図１７と同様に示している。
【図２１】２つの他のコーディング例を、図１８と同様に示している。
【図２２】２つの他のコーディング例を、図１９と同様に示している。
【図２３】２つの他のコーディングの例の同様な表示である。
【図２４】２つの他のコーディングの例の同様な表示である。
【図２５】２つの他のコーディングの例の同様な表示である。
【図２６】移動可能なビンのキャップ部分に設けられたキー要素のための輪郭形状を略図で示している。
【図２７】移動可能なビンのキャップ部分に設けられたキー要素のための輪郭形状を略図で示している。
【図２８】移動可能なビンのキャップ部分に設けられたキー要素のための輪郭形状を略図で示している。
【図２９】本発明に係る容器移動システムの変形された実施例を著しく図式的に、部分的な縦断面で示している。
【図３０】第３の実施例を図２９と同様に示している。
【図３１】第４の実施例を図２９と同様に示している。
【図３２】図３１の実施例の移動装置の横断面を略図で示している。
【図３３】他の実施例を、図３０及び３１と同様な断面で示している。
【図３４】図３３の実施例のロック部材を図式的に簡略化して示している。
【発明を実施するための形態】
【００２７】
以下、複数の実施例を用いて本発明を詳細に説明し、それら実施例において２つの容器の間で媒体を交換するための移動システムが設けられており、それらの容器は好ましくは医療用、診断用、経口又は非経口の目的のために使用される。図面に示す特殊な実施例は、これに関して（特に図１を参照）プラスチック容器の形式の、注射容器１の形状の第１の容器を示しており、その容器は、たとえばＥＰ２２６９５５８Ａ１に記載され、かつ専門分野では登録商標Bottelpack-Systemの名称でも知られている、既知のブロー・フィル−シール（Blow-Fill-Seal）方法で形成されている。この種の容器は、通常、注射用具セットのための少なくとも１つの接続端３を有している。たとえば溶剤の体積を含む、注射容器１の内容物に、特殊な注射液を調合するために液状又は粉末状の薬品成分を供給する場合に、特に安全判断基準が守られなければならない。
【００２８】
医療用又は診断用に適用する場合に、この種の適用において通常ガラスビン又はポリマービン５内にある、付加成分の間で媒体移行する場合に、無菌性に注意が払われるだけでなく、それぞれ必要とされる物質の所定量を含むビン５から注射容器１内への媒体移行が行われることが、保証されなければならない。簡単かつ無菌で行うべき、適切な移動プロセスのために、ＷＯ９５／００１０１に示されるように、注射容器１に接続装置が取り付け可能であり、又は取り付けられている。接続装置は、穿孔尖端の間を通り抜けるカニューレの形式の突き刺し突起を有する移動装置を有し、かつ、通常は無効な位置にロックされており、その無効な位置において突き刺し突起の２つの穿孔尖端は、注射ビン１の穿孔可能な開放領域及び移動プロセスのために設けられているビン５の穿孔可能な穿孔領域から離隔している。接続装置は、圧倒的に円筒状のスリーブ形状の収容部を有しており、その収容部内へ移動プロセス用に設けられたビン５が導入可能であり、その場合にスリーブ形状の収容部が、ビン５の走行移動のためのガイドを形成し、その走行移動においてビン５の穿孔可能な開放領域が突き刺し突起へ接近し、その場合に移動装置のロックを解除して、移動装置を終端位置へ移動させ、その終端位置において突き刺し中空突起がビン５と注射ビン１の開放領域に穴を開けて、媒体接続を提供する。
【００２９】
その限りにおいて、本発明にかかる容器移動システムは、同一の機能原理に基づいている。しかしそれに対する本発明の原則的な差異は、図に符号２７で示す移動装置のアンロックとそれに伴って媒体を案内する接続の形成が、それぞれの移動プロセスのために特別に設けられた、移動可能な容器、すなわちビン５、を利用する場合にだけ可能になることにある。本発明においては、移動可能なビン５に特殊な制御手段が設けられており、その制御手段によって移動装置のロック装置がアンロック可能である。それによって、従来技術においては与えられていた誤操作の危険、したがって許されない物質及び／又は容量の媒体移行は、ビン５と接続装置７の間のコーディングによって排除されている。ビン５と接続装置７の間のこの種のコーディングの詳細を可能にする発明の詳細が、図２以降から詳細に明らかにされる。
【００３０】
移動可能なビン５を別々に示す図２と３から明らかなように、ビン５の、穿孔可能な開放領域４８がある、たとえば詳細に示されないエラストマー栓の形状の、ネック部分１１に、キャップ部分１３が取り付けられており、そのキャップ部分はこの例においては、一体的に射出形成されたプラスチック部品からなる。図１と２は、キャップ部分１３を利用前の初期状態で示しており、その場合にキャップ部分１３の上側に、オリジナリティ記号として形成されたカバー１５が設けられており、そのカバーは利用者によってビン５の利用前に容易に機械的に除去することができる。カバー１５の代わりに、取り外し可能な箔を設けることもできる。カバー１５の取り外し後に、キャップ部分１３において中央の開口部１７が露出され、その開口部はビン５のネック部分１１に設けられた開放領域４８と整合する。カバー１５の代わりに放射を透過する箔が設けられる場合に、場合によってはエラストマー表面（穿孔面）上に存在する菌を死滅させるために、強いエネルギの放射、たとえばUV放射又はベータ放射によって該当する箔の透射が行われる。好ましくはポリマーから形成されるキャップ部分１３は、図２が示すように、ビン５のネック部分１１の端縁１９にスナップ装着することができる。代替的に、キャップ部分１３のコーディングは、ビン５の一体的な構成要素であってもよい。代替的に、本発明に係るコードを有するキャップ１３は、たとえばＷＯ２０１１／０３２７９８Ａ１，ＷＯ２０１１／０３９００４Ａ１及びＥＰ０６５５０４２Ｂ１に記述され、かつ特に好ましくは医薬品又は薬剤を冷凍乾燥する場合に使用されるような、それ自体知られた、いくつかに分かれたプラスチック栓の一部とすることもできる。
【００３１】
キャップ部分１３の輪郭は、面取りした角部を有するルーローの三角形の形状を有している。キーロック原理に基づくコードを形成するために、ルーローの三角形の外周を有するキャップ部分１３が、物理的にコーディングされたキー要素を形成し、その場合にキャップ部分１３におけるコーディングは、切り欠き２１によって形成されている。切り欠き２１は、周面から内側へ向かって深くなる溝の形状を有しており、その周長さは壁２３によって限定されており、その壁が、中央の開口部１７に関して、径方向の平面を定め、かつそれらのうちのいくつかが、図７においてのみ番号を有している。切り欠き２１の軸方向の深さは、キャップ部分１３の厚みよりも小さいので、切り欠き２１は、図７で見える前側において開放しており、かつ、キャップ部分１３のビン５のメイン部分へ向いた側には、図８で見られるように、切り欠き２１は設けられていない。
【００３２】
キーロックシステムのためのコーディング可能なロックとして、環状ボディ２５（特に図６と８を参照）が設けられており、その環状ボディは、図５に別に示される、移動装置２７のロック装置の構成要素としてのロック部材を形成する。環状ボディ２５は、キャップ部分１３によって形成されるキー要素を挿入するために開口部２９を有しており、その開口部はキャップ部分１３の周面に適合されており、したがってルーローの三角形の形状を有している。開口部２９の内側に突出部３１の形式のコードが設けられており、その突出部は、コードが一致した場合に、キャップ部分１３に設けられたキー部分の切り欠き２１に対して相補的である。突出部３１は、図６内で上に位置する環状ボディ２５の端部までは延びていないので、移動プロセスの最初にキャップ部分１３が添接するために、方向付け平面が定められており、コードが一致した場合に、その方向付け平面上で、キャップ部分１３は切り欠き２１と突出部３１が整合する回転位置へ移動することができ、その後環状ボディ２４の開口部２９内へ導入することができる。特に図８を見る視線方向において、突出部３１は上へ向かって段部を形成し、その段部が、キャップ部分１３の切り欠き２１の引っ込んだ端部に設けられた対応する段部と添接することができるので、容器又はビン５を注射容器１上へ軸方向に接近移動する場合に、キャップ部分１３が環状ボディ２５を強制的に連動させる。
【００３３】
図４は、移動プロセスの開始前の初期状態を示しており、その場合に環状ボディ２５は接続装置７のスリーブ形状の収容部９の上方の端部に位置している。図６がもっともはっきりと示すように、ロック部材を形成する環状ボディ２５が外周に軸方向に貫通する溝３３を有しており、その溝によって環状ボディ２５はスリーブ形状の収容部９の（図示されない）軸方向のガイドストリップに接して案内されている。図５に別に示されている移動装置２７は、スリーブ形状の収容部９内の環状ボディ２５の下方で、その解放運動のために軸方向に走行可能に案内されている。図５がもっともはっきりと示すように、移動装置２７は、中央に配置された突き刺し突起３７のための支持体として、スリーブ形状の収容部９の内径に適合されたディスク３５を有しており、その突き刺し突起はそれ自体知られたやり方で、マルチ通路のカニューレとして形成されており、かつディスク３５の両側へ突出し、それによって開放プロセスのために注射ビン１の開放領域５０も、ビン５の開放領域４８も穿孔することができる。ディスク３５の周面には、直立した機能部材が設けられている。そのうちの３つのガイドフラップが、符号３９で示されており、ディスク３５は、スリーブ形状の収容部９の内壁に接して移動する場合に、そのガイドフラップによって案内される。互いに連続する２つのガイドフラップ３９の間に、それぞれ３つの互いにつながり合ったラッチ部分４１、４３、４５を備えたそれぞれ２つのフラップが設けられている。さらに、ディスク３５の上面の上方に、スナップ結合を提供するために内側へ張り出す突片４７が設けられており、それについては後述する。
【００３４】
図４が示すように、ロック装置のロック部材を形成する環状ボディ２５は、収容部９のスリーブの上方の端縁に配置されている。その場合に環状ボディ２５は、ロックされた状態、すなわち移動できない状態にある。環状ボディ２５の下方にある移動装置２７自体は、軸方向に走行移動しないようにロックされている。というのは、ディスク３５は、外側へ向かってやや反ったラッチ部分４１に設けられた係止突片４９によってスリーブの係止溝５１内に係止されているからである。それによって、ロック部材として用いられる環状ボディ２５もロック位置にある。というのは、ディスク３５の直立したフラップのラッチ部分４５が環状ボディ２５の移動を阻止するからである。この状態が、図９に示されている。ビン５のキャップ部分１３と環状ボディ２５のコードが一致した場合に、図１０と１１に示すように、キャップ部分１３が環状ボディ２５内へ導入される。この移動の進行において、中空突起３７がビン５の開放領域４８に穴を開け、キャップ部分１３がラッチ部分４３に設けられた駆動突片５３と接触する。キャップ部分１３がさらに導入された場合に、それによってラッチ部分４３、４５がアンロックプロセスのために外側へ変位される。それによって環状ボディ２５が移動装置２７のディスク３５へ向かって移動することができ、その場合にフラップのラッチ部分４１、４３、４５が環状ボディ２５のガイド通路５５内で、ラッチ部分４１に設けられた係止片４９が収容部９のスリーブの係止溝５１から持ち上げて外されるように、案内される。この状態に達したことが、図１３に示されている。それによって、図１４が示すように、キャップ部分１３を有するビン５がさらに進入し、その場合に環状ボディ２５が連動され、その環状ボディ自体は移動装置２７のディスク３５に添接して、このディスクを開放運動のために連動させ（図４を参照）、その場合に突き刺し突起３７が注射容器１の開放領域５０にも穴をあける。突き刺し中空突起３７は、移動プロセスのために、それぞれの突き刺し方向に対して平行に延びる２つの移動通路を有している。
【００３５】
収容部９のスリーブの底に、図１５と１６に示すように、接続プロセスの終了時に終端位置において移動装置２７のための係止を形成するために、他の係止溝５７が設けられている。この終端位置において、図５に示すように、ディスク３５の上方で内側へ張り出す突片４７が、キャップ部分の切り欠き２１のない端縁５９を把持することによって、キャップ部分１３とのスナップ結合を提供する。それによってビン５は、移動プロセスの終端位置に達した場合に、接続装置７に形状結合で固定される。
【００３６】
図１７から２５は、機能スケッチの形式で、図示される実施例において設けられるコーディングシステムを説明する。図１７は、面取りされた角部を備えたルーローの三角形の形状を有するキャップ部分１３の周面において、三角形の各辺にコーディング領域が設けられていることを示しており、その場合に各コーディング領域は、コード位置を備えた２つのグループ６１と６３を有しており、グループ６１と６３はコードのない中間領域６５によって互いに空間的に変位している。三角形の各側に、該当するキーを形成するために等しく選択されたコード位置を備えた同一のコーディンググループ６１、６３が設けられているので、キー要素は３つの位置においてそれぞれ等しくコーディングされたロック内へ挿入することができる。この適用目的のために、グループ６１、６３の一方のもののコード位置のコードが、該当するビン５の充填容積を特徴づけており、それぞれ他方のグループ６１又は６３は、容器の内容物質の種類を示している。この例において、説明したように、キャップ部分１３に設けられたコードは、それぞれグループ６１、６３の内部に設けられている切り欠き２１によって形成されている。図１７のスケッチ表示においては、切り欠き２１によるコードのない、未加工状態が示されている。
【００３７】
この例において、それぞれのグループ１内のコードは、容器内容物の種類、たとえば注射ビン１内にある溶剤の種類を示しており、グループ６３のコードは、体積、たとえば溶剤の体積を示しており、その溶剤に、ビン５内にある物質が添加され、又は添加することができる。ロックを形成する環状ボディ２５において、同様なやり方で、突出部３１はそれぞれのコーディンググループ６１、６３のために、注射ビン１の容積もしくは容器内容物の、たとえば注射ビン１内にある溶剤の定式化の種類を特徴づけている。
【００３８】
図１８に示す例において、キャップ部分１３はグループ６１の第１のコード位置における切り欠き２１によって、ビン５がビン１の内容物質Ａに供給するように定められていることを、示しており、グループ６３は切り欠き２１を持たず、それも、ビン１が所定の溶剤体積を有していることを、示している。図１９の例において、グループ６３内には複数のコード位置にわたる切り欠き２１が形成されており、それは、他の溶剤体積を示しており、図１８とは異なるコード位置における、グループ６１内の切り欠きは、たとえばグループ６３内の切り欠きと同様に、５０ｍｌの、他の溶剤、たとえば溶剤Ｂを示している。
【００３９】
図２０から２２が示す例において、ビン５は、グループ６１内に幅広く形成された切り欠き２１によって、そのビンがビン１内の溶剤Ａへの媒体供給のためにも、溶剤Ｂへの媒体供給のためにも定められていることを、示している。グループ６３内に切り欠き２１がないことによって、同時に、添加がビン１内の、たとえば２５０ｍｌの、所定の溶剤体積のためだけに定められていることを、示している。したがって図２１の例は、ビン５が、２５０ｍｌの溶剤Ａを有するビン１と組み合わせることができることを、示している。しかし図２２が示すように、他の体積、たとえば５０ｍｌの溶剤Ｂを有するビン１との組み合わせは不可能である。
【００４０】
図２０から２２に対応して、図２３から２５が例を示しており、それらにおいてビン５は、グループ６１の１つのコード位置のみにおける切り欠き２１によって、ビン５がビン１内の溶剤Ａのためだけに定められていることを示しているが、グループ６３の２つのコード箇所にわたる切り欠き２１によって、たとえば溶剤の１００から２５０ｍｌのための、より大きい体積領域にわたる組み合わせが許されることが、示される。図２４が示すように、ビン５は２５０ｍｌの溶剤Ａを有する注射ビンに適している。それに対して図２５は、他の溶剤Ｂについても、他の溶剤体積についても、組み合わせが排除されていることを、示している。
【００４１】
図２６から２８は、スケッチ表示において、コーディングされないで示されるキー要素の輪郭の形状付与の他の可能性を明らかにしており、その場合に図２６は、その限りにおいて説明された実施例において選択された三角形状を示しており、図２７は楕円６９の形状の、異なった非円形の輪郭形状を示している。同様に、図２８が示すように、円形の輪郭形状において、突出部と切り欠きのパターン（図２８においてはそのうちの突出部７１のみが示されている）のような、形態不規則性を設けることができ、それらはここでも互いに変位したグループ内に設けることができる。円形の構成においては、キーロック結合は、一義的な相対導入位置においてのみ可能であって、図２７に示す楕円６９においては、２つの長い円弧側にコーディンググループを設けることができるので、２つの相対的な導入位置において、キーロック結合が可能である。適合するコーディンググループを形成するために、突出部の代わりに、それぞれ他の構成部品の突出部に適合する、それぞれ構成部品の切り欠きが設けられる。
【００４２】
図２９は、著しく図式的に簡略化した表示において、実施例を示しており、その実施例において移動装置の突き刺し中空突起３７を支持するボディ７３自体が、ある種のカップを形成し、そのボディの内壁７５がロック部材を形成し、コードが一致した場合にビン５のキャップ部分１３がそのロック部材内へ次のように、すなわちキャップ部分１３がボディ７３に添接した場合に穿孔プロセスのためにそのボディを移動させるように、挿入可能である。ボディ７３は走行移動する場合にその周面のフィン７５によって、収容部９のスリーブのねじトラック７７内で案内されているので、穿孔プロセスは突き刺し中空突起３７の回転運動を受けて好ましいやり方で行われる。
【００４３】
図３０は、著しく図式的に簡略化した表示において、キーロック形態の他の実施例を示している。この例において、接続装置の収容部９を形成するスリーブボディと、移動装置の突き刺し突起３７を支持するボディ７３は、すでにビン５に前もって取り付けられているが、その場合にその開放領域４８はまだ突き刺されていない。キーロックシステムのコーディングにおいて、ボディに１つのピン７９又は複数のピンが設けられており、それらは対応する孔８１内へ進入可能であり、その孔はコーディングされた配置においてビン１のネック部分６７にロックとして形成されている。
【００４４】
図３１と３２の実施例においては、キーとしてビン５のキャップ部分１３に軸方向の孔８３のパターンが、そして対応するピン８５のパターンが突き刺し中空突起３７のディスク形状の支持体８３に設けられている。したがってこの例において、ロック部材は支持体７３内に一体的に統合されている。孔８３とピン８５のコードが一致した場合に、キャップ部分１３は弾性変位するように支承されたロック部分８７に添接することができ、それによって収容部９における支持体７３のロックが解除されるので、支持体はビン５の導入によって接続プロセスのために走行することができる。ピン８５を越えてロック部分８７が張り出す張り出しに関してキャップ１３の長さもしくはピン８５の長さを適合させることによって、接続プロセスの際にまず支持体７３がビン１へ移動して、その中へ差し込まれ、その後に初めてビン５が突き刺されるか、又は、まずビン５が、そしてその後ビン１が貫通されるか、が調節される。すなわちピン８５を越えるロック部分８７の張り出しが大きい場合には、まず支持体７３がロック部分８７から外されて、ビン１へ向かって支持体が移動される。ビン５のエラストマー栓４８の貫通力は、ビン１の貫通力よりも大きいので、後者が最初に突き刺し中空突起３７によって貫通される。すでに詳細に説明した先行する例と同様に、支持体７３にも、図５に示すのと同様に係止及び／又はガイド部材が形成され、かつ同様な溝が収容部９に形成される。
【００４５】
図３３と３４の実施例においては、突起３７を支持するボディ７３をアンロックするために、図３４に別に示す、互いに弾性的に結合される押圧ボディ９１からなるリング８９が設けられている。このリングは、コードが一致した場合に進入可能なビン５のキャップ部分１３によって押し開かれて、矢印９５で示唆するように、ビンネック１に形成されたボディ７３のフレーム９３が拡幅されるので、ボディ７３は、移動及び開放運動のためにフレーム９３の段部９７から自由になる。
【００４６】
本発明に係る解決によって、すべての種類の媒体を案内する容器と媒体を含む容器（最も広い意味においてチューブシステムもこれに数えられる）は、媒体交換のために無菌かつ流体密に互いに結合される。
なお、参考態様としては以下のようなものがある。
［参考態様１］
キャップ（１３）の最大の外径が、前記容器（５）の最大の外径より小さいか、又はそれと等しい大きさである。
［参考態様２］
キャップ（１３）が前記容器（５）上に取り付けられ、該容器（５）に対して前記キャップ（１３）の少なくとも部分的な回転が可能となる。
【図１】
0006595622.tif 000002
【図２】
0006595622.tif 000003
【図３】
0006595622.tif 000004
【図４】
0006595622.tif 000005
【図５】
0006595622.tif 000006
【図６】
0006595622.tif 000007
【図７】
0006595622.tif 000008
【図８】
0006595622.tif 000009
【図９】
0006595622.tif 000010
【図１０】
0006595622.tif 000011
【図１１】
0006595622.tif 000012
【図１２】
0006595622.tif 000013
【図１３】
0006595622.tif 000014
【図１４】
0006595622.tif 000015
【図１５】
0006595622.tif 000016
【図１６】
0006595622.tif 000017
【図１７】
0006595622.tif 000018
【図１８】
0006595622.tif 000019
【図１９】
0006595622.tif 000020
【図２０】
0006595622.tif 000021
【図２１】
0006595622.tif 000022
【図２２】
0006595622.tif 000023
【図２３】
0006595622.tif 000024
【図２４】
0006595622.tif 000025
【図２５】
0006595622.tif 000026
【図２６】
0006595622.tif 000027
【図２７】
0006595622.tif 000028
【図２８】
0006595622.tif 000029
【図２９】
0006595622.tif 000030
【図３０】
0006595622.tif 000031
【図３１】
0006595622.tif 000032
【図３２】
0006595622.tif 000033
【図３３】
0006595622.tif 000034
【図３４】
0006595622.tif 000035